(57)【特許請求の範囲】
【請求項１】
電子表示媒体と接続された状態において当該電子表示媒体に対する表示制御を行う表示制御装置であって、
前記電子表示媒体に表示される表示内容が秘匿対象の表示内容か否かを判別する判別手段と、
前記判別手段で秘匿対象の表示内容と判別された場合には、当該表示内容の情報を当該電子表示媒体側の内部記憶部に対して記憶させるよう制御する記憶制御手段と、
前記電子表示媒体との接続が解除される際は、その接続解除に先立って当該電子表示媒体に表示される表示内容が秘匿対象の表示内容か否かを判別する第２判別手段と、
前記第２判別手段で前記秘匿対象の表示内容と判別された場合には、当該電子表示媒体との接続解除に先立って当該表示内容を消去するよう制御する表示制御手段と、
を具備したことを特徴とする表示制御装置。
【請求項２】
前記電子表示媒体が新たに接続された際は、その電子表示媒体が秘匿対象の表示内容の情報を自身の内部記憶部に記憶する電子表示媒体か否かを判別する第３判別手段と、
を更に具備し、
前記表示制御手段は、前記第３判別手段で前記秘匿対象の表示内容の情報を自身の内部記憶部に記憶する電子表示媒体であると判別された場合には、当該電子表示媒体側の前記内部記憶部に記憶された前記情報を読み出して、前記秘匿対象となった表示内容を当該電子表示媒体で再表示するよう制御する、
ことを特徴とする請求項１に記載の表示制御装置。
【請求項３】
電子表示媒体と接続された状態において当該電子表示媒体に対する表示制御を行う表示制御装置であって、
前記電子表示媒体との接続が解除される際は、その接続解除に先立って当該電子表示媒体が秘匿対象の表示内容を表示する電子表示媒体か否かを判別する判別手段と、
前記電子表示媒体が新たに接続された際は、その電子表示媒体が秘匿対象の表示内容を表示すべき電子表示媒体か否かを判別する第２判別手段と、
前記判別手段で前記秘匿対象の表示内容を表示する電子表示媒体であると判別された場合には、当該電子表示媒体との接続解除に先立って当該電子表示媒体に表示される前記表示内容を消去するよう制御し、前記第２判別手段で前記秘匿対象の表示内容を表示すべき電子表示媒体であると判別された場合には、当該電子表示媒体に対して前記秘匿対象となった表示内容を表示するよう制御する表示制御手段と、
を具備したことを特徴とする表示制御装置。
【請求項４】
前記電子表示媒体は、秘匿対象の表示部分を含む表示内容を表示し、
前記表示制御手段は、前記電子表示媒体に表示される表示内容を消去する際は、前記表示内容の内で前記秘匿対象の表示部分に対応する部分表示内容を消去する、
ことを特徴とする請求項１〜３の何れかに記載の表示制御装置。
【請求項５】
電子表示媒体と接続された状態において当該電子表示媒体に対する表示制御を行う表示制御装置であって、
前記電子表示媒体が接続された状態において、当該電子表示媒体に表示される表示内容が秘匿対象の表示内容か否かを判別する判別手段と、
前記判別手段で秘匿対象の表示内容であると判別された場合には、その秘匿対象の表示内容が消去された後にあって当該秘匿対象の表示内容を再表示可能とするために、当該秘匿対象の表示内容の情報を当該電子表示媒体側の内部記憶部に対して記憶させるよう制御する記憶制御手段と、
前記電子表示媒体が新たに接続された際は、その電子表示媒体側の前記内部記憶部に記憶された情報を読み出して前記秘匿対象の表示内容を再表示するよう制御する表示制御手段と、
を具備したことを特徴とする表示制御装置。
【請求項６】
前記表示制御手段は、前記秘匿対象の表示内容を表示する電子表示媒体との接続が解除される際は、その電子表示媒体との接続解除に先立って当該電子表示媒体に表示される前記表示内容を消去するよう制御する、
ことを特徴とする請求項５に記載の表示制御装置。
【請求項７】
前記電子表示媒体は、秘匿対象の表示部分を含む表示内容を表示し、
前記判別手段は、前記秘匿対象の表示部分を含む表示内容か否かを判別し、
前記記憶制御手段は、前記表示内容の内で前記秘匿対象の表示部分の部分表示内容の再表示を可能とするために、当該秘匿対象の表示部分の部分表示内容の情報を前記内部記憶部に対して記憶させるよう制御し、
前記表示制御手段は、前記内部記憶部に記憶された情報を読み出して前記秘匿対象の表示部分の部分表示内容を当該電子表示媒体に再表示するよう制御する、
ことを特徴とする請求項５又は６に記載の表示制御装置。
【請求項８】
電子表示媒体と接続された状態において当該電子表示媒体に対する表示制御を行う表示制御装置であって、
前記電子表示媒体が新たに接続された際は、その電子表示媒体が秘匿対象の表示内容の情報を自身の内部記憶部に記憶する電子表示媒体か否かを判別する判別手段と、
前記判別手段で前記秘匿対象の表示内容の情報を自身の内部記憶部に記憶する電子表示媒体であると判別された場合には、当該電子表示媒体側の前記内部記憶部に記憶された前記情報を読み出して、前記秘匿対象となった表示内容を前記電子表示媒体で表示するよう制御する表示制御手段と、
を具備したことを特徴とする表示制御装置。
【請求項９】
前記内部記憶部に記憶される情報は、前記秘匿対象の表示内容を前記電子表示媒体の表示面の何処に表示するかを示す表示位置情報を含み、
前記表示制御手段は、前記秘匿対象となった表示内容を、前記電子表示媒体における表示面の中で前記表示位置情報で示される表示位置に表示するよう制御する、
ことを特徴とする請求項８に記載の表示制御装置。
【請求項１０】
電子表示媒体と接続された状態において当該電子表示媒体に対する表示制御を行う表示制御装置のコンピュータを制御するためのプログラムであって、
前記コンピュータを、
前記電子表示媒体に表示される表示内容が秘匿対象の表示内容か否かを判別する判別手段、
前記判別手段で秘匿対象の表示内容と判別された場合には、当該表示内容の情報を当該電子表示媒体側の内部記憶部に対して記憶させるよう制御する記憶制御手段、
前記電子表示媒体との接続が解除される際は、その接続解除に先立って当該電子表示媒体に表示される表示内容が秘匿対象の表示内容か否かを判別する第２判別手段、
前記第２判別手段で前記秘匿対象の表示内容と判別された場合には、当該電子表示媒体との接続解除に先立って当該表示内容を消去するよう制御する表示制御手段、
として機能させるようにしたプログラム。
【請求項１１】
電子表示媒体と接続された状態において当該電子表示媒体に対する表示制御を行う表示制御装置のコンピュータを制御するためのプログラムであって、
前記コンピュータを、
前記電子表示媒体との接続が解除される際は、その接続解除に先立って当該電子表示媒体が秘匿対象の表示内容を表示する電子表示媒体か否かを判別する判別手段、
前記電子表示媒体が新たに接続された際は、その電子表示媒体が秘匿対象の表示内容を表示すべき電子表示媒体か否かを判別する第２判別手段、
前記判別手段で前記秘匿対象の表示内容を表示する電子表示媒体であると判別された場合には、当該電子表示媒体との接続解除に先立って当該電子表示媒体に表示される前記表示内容を消去するよう制御し、前記第２判別手段で前記秘匿対象の表示内容を表示すべき電子表示媒体であると判別された場合には、当該電子表示媒体に対して前記秘匿対象となった表示内容を表示するよう制御する表示制御手段、
として機能させるようにしたプログラム。
【請求項１２】
電子表示媒体と接続された状態において当該電子表示媒体に対する表示制御を行う表示制御装置のコンピュータを制御するためのプログラムであって、
前記コンピュータを、
前記電子表示媒体が接続された状態において、当該電子表示媒体に表示される表示内容が秘匿対象の表示内容か否かを判別する判別手段、
前記判別手段で秘匿対象の表示内容であると判別された場合には、その秘匿対象の表示内容が消去された後にあって当該秘匿対象の表示内容を再表示可能とするために、当該秘匿対象の表示内容の情報を当該電子表示媒体側の内部記憶部に対して記憶させるよう制御する記憶制御手段、
前記電子表示媒体が新たに接続された際は、その電子表示媒体側の前記内部記憶部に記憶された情報を読み出して前記秘匿対象の表示内容を再表示するよう制御する表示制御手段、
として機能させるようにしたプログラム。
【請求項１３】
電子表示媒体と接続された状態において当該電子表示媒体に対する表示制御を行う表示制御装置のコンピュータを制御するためのプログラムであって、
前記コンピュータを、
前記電子表示媒体が新たに接続された際は、その電子表示媒体が秘匿対象の表示内容の情報を自身の内部記憶部に記憶する電子表示媒体か否かを判別する判別手段、
前記判別手段で前記秘匿対象の表示内容の情報を自身の内部記憶部に記憶する電子表示媒体であると判別された場合には、当該電子表示媒体側の前記内部記憶部に記憶された前記情報を読み出して、前記秘匿対象となった表示内容を前記電子表示媒体で表示するよう制御する表示制御手段、
として機能させるようにしたプログラム。
【発明の詳細な説明】
【技術分野】
【０００１】
本発明は、電子表示媒体と接続された状態において当該電子表示媒体に対する表示制御を行う表示制御装置及びプログラムに関する。
【背景技術】
【０００２】
一般に、データを表示する電子ペーパ（表示媒体）にあっては、表示メモリ性を有していて電源が切られた状態であっても一度書き込んだ表示を長時間保持することが可能であるほか、低消費電力で、薄くて持ち運びが可能であるというメリットを有しているため、複写機やスキャナなどでその表示内容が容易に読み取られてしまうという問題がある。
そこで、従来では、電子ペーパーにセンサを設けて、複写機に伏せてコピーしようとしたり、複写機の強い光を感知したりしたら即座に像を全面消去するようにした技術が開示されている（特許文献１参照）。
【先行技術文献】
【特許文献】
【０００３】
【特許文献１】特開２００９‐２４４３４５号公報
【発明の概要】
【発明が解決しようとする課題】
【０００４】
しかしながら、上述した先行技術の電子ペーパーにあっては、不正複写を防止するためにデータ表示を全面消去するものであり、複写行為をセンサにより検知してデータの表示を消去するためには、電源回路、表示制御回路、全体制御回路、各種センサなどを必要とするものであった。
ところで、電子ペーパーは、上述したように電源が切られても表示内容がそのまま保持されるため、例えば、電源部や制御部などを備えた本体装置から電子ペーパー（表示媒体）を取り外して（分離して）持ち出して使用することもできるようになる。
【０００５】
このように本体装置から電子ペーパーを取り外して使用する場合に、この取り外した状態では電子ペーパーの表示内容を消去したり、変更したりすることができないために、例えば、持ち出し先で閲覧している最中にその背後から個人データや機密データが盗み見されてしまったり、電子ペーパーを置き忘れてしまったりする危険性があり、セキュリティ対策上、大きな問題となる。
【０００６】
本発明の課題は、表示制御装置との接続で表示制御される電子表示媒体を介したデータの漏洩を適切に防止できるようにすることである。
【課題を解決するための手段】
【０００７】
請求項１は、電子表示媒体と接続された状態において当該電子表示媒体に対する表示制御を行う表示制御装置であって、前記電子表示媒体に表示される表示内容が秘匿対象の表示内容か否かを判別する判別手段と、前記判別手段で秘匿対象の表示内容と判別された場合には、当該表示内容の情報を当該電子表示媒体側の内部記憶部に対して記憶させるよう制御する記憶制御手段と、前記電子表示媒体との接続が解除される際は、その接続解除に先立って当該電子表示媒体に表示される表示内容が秘匿対象の表示内容か否かを判別する第２判別手段と、前記第２判別手段で前記秘匿対象の表示内容と判別された場合には、当該電子表示媒体との接続解除に先立って当該表示内容を消去するよう制御する表示制御手段と、を具備したことを特徴とする。
請求項３は、電子表示媒体と接続された状態において当該電子表示媒体に対する表示制御を行う表示制御装置であって、前記電子表示媒体との接続が解除される際は、その接続解除に先立って当該電子表示媒体が秘匿対象の表示内容を表示する電子表示媒体か否かを判別する判別手段と、前記電子表示媒体が新たに接続された際は、その電子表示媒体が秘匿対象の表示内容を表示すべき電子表示媒体か否かを判別する第２判別手段と、前記判別手段で前記秘匿対象の表示内容を表示する電子表示媒体であると判別された場合には、当該電子表示媒体との接続解除に先立って当該電子表示媒体に表示される前記表示内容を消去するよう制御し、前記第２判別手段で前記秘匿対象の表示内容を表示すべき電子表示媒体であると判別された場合には、当該電子表示媒体に対して前記秘匿対象となった表示内容を表示するよう制御する表示制御手段と、を具備したことを特徴とする。
【０００８】
請求項５は、電子表示媒体と接続された状態において当該電子表示媒体に対する表示制御を行う表示制御装置であって、前記電子表示媒体が接続された状態において、当該電子表示媒体に表示される表示内容が秘匿対象の表示内容か否かを判別する判別手段と、前記判別手段で秘匿対象の表示内容であると判別された場合には、その秘匿対象の表示内容が消去された後にあって当該秘匿対象の表示内容を再表示可能とするために、当該秘匿対象の表示内容の情報を当該電子表示媒体側の内部記憶部に対して記憶させるよう制御する記憶制御手段と、前記電子表示媒体が新たに接続された際は、その電子表示媒体側の前記内部記憶部に記憶された情報を読み出して前記秘匿対象の表示内容を再表示するよう制御する表示制御手段と、を具備したことを特徴とする。
【０００９】
請求項８は、電子表示媒体と接続された状態において当該電子表示媒体に対する表示制御を行う表示制御装置であって、前記電子表示媒体が新たに接続された際は、その電子表示媒体が秘匿対象の表示内容の情報を自身の内部記憶部に記憶する電子表示媒体か否かを判別する判別手段と、前記判別手段で前記秘匿対象の表示内容の情報を自身の内部記憶部に記憶する電子表示媒体であると判別された場合には、当該電子表示媒体側の前記内部記憶部に記憶された前記情報を読み出して、前記秘匿対象となった表示内容を前記電子表示媒体で表示するよう制御する表示制御手段と、を具備したことを特徴とする。
【発明の効果】
【００２１】
本発明によれば、表示制御装置との接続で表示制御される電子表示媒体を介したデータの漏洩を適切に防止することができる。
【図面の簡単な説明】
【００２２】
【図１】データ表示装置として適用した電子ペーパー装置の全体を概略的に示した外観図。
【図２】電子ペーパー２の概略正面図。
【図３】電子ペーパー２の表示領域内の表示データを具体的に例示した図。
【図４】電子ペーパー装置の基本的な構成要素を示したブロック図。
【図５】電源投入に伴って実行開始される電子ペーパー装置の動作概要を示したフローチャート。
【図６】図５の動作に続くフローチャート。
【図７】第２実施形態における電子ペーパー２を説明するための図。
【図８】第２実施形態において電子ペーパー２の表示面の一部分に反射型液晶パネルシート５を貼り付けた部分における電子ペーパー２と液晶パネルシート５の作動状態を模式的に説明するための図。
【図９】第２実施形態において、電源投入に伴って実行開始される電子ペーパー装置の動作概要を示したフローチャート。
【発明を実施するための形態】
【００２３】
（実施形態１）
以下、図１〜図６を参照して本発明の第１実施形態を説明する。
図１は、データ表示装置として適用した電子ペーパー装置の全体を概略的に示した外観図である。
電子ペーパー装置は、例えば、データを閲覧するデータベースセンタ（ＤＢセンタ）などに設置されたもので、全体が略長方形の薄型の電子ペーパーを立て置きするスタンドタイプのデータ表示装置である。この電子ペーパー装置は、その本体装置（ベースユニット）１と、表示媒体としての電子ペーパー２を備え、この本体装置１には電子ペーパー２が取り外し可能に保持されている。
【００２４】
本体装置１は、電子ペーパー（表示媒体）２を保持するバインダ部１ａと、このバインダ部１ａを支持するスタンド台１ｂと、電源ボタン１ｃ、解除ボタン１ｄ、表示開始ボタン１ｅ、表示切替ボタン１ｆなどの各種操作ボタンのほか、後述する電源回路、表示制御回路、全体制御回路などを構成する各種の電子部品（図示省略）を有し、更に外部機器としてのパーソナルコンピュータ（ＰＣ）３にケーブル接続されている。ＰＣ３は、データベース（ＤＢ）４に格納されている表示データ（各種の売上データなど）を、このＤＢ４から取得して電子ペーパー装置に転送すると、電子ペーパー装置は、この表示データを電子ペーパー２に表示させるようにしている。
【００２５】
バインダ部１ａは、電子ペーパー（表示媒体）２を取り外し可能（抜き差し可能）に保持するもので、電子ペーパー２が電気的に接続される差込型の接続部１ｇと電子ペーパー２の一端部を挟み持つ挟持部１ｈを有している。この挟持部１ｈには、電子ペーパー２の一端部を挟み持った状態でロックするロック機構（図示省略）が備えられており、このロック状態のまま電子ペーパー２をその抜き取り方向に引っ張っても取り外せないようにしているが、解除ボタン１ｄが操作された際には、その操作に応答してそのロック状態を解除するようになっている。電源ボタン１ｃは、電源をオン／オフさせるボタンである。
【００２６】
この解除ボタン１ｄは、バインダ部１ａに保持されている電子ペーパー２を取り外す際に、それに先立って操作されるもので、本体装置１は、解除ボタン１ｄが操作されると、つまり、電子ペーパー２がバインダ部１ａから取り外される状態であることを検出すると、電子ペーパー２に表示されている表示データを所定の条件でその全部又は一部の表示を消去するようにしている。すなわち、電子ペーパー２が取り外されるに先立って解除ボタン１ｄが操作されてから電子ペーパー２が実際に取り外されるまでの時間を利用して、電子ペーパー２に表示されている表示データの全部又は一部の表示を消去するようにしている。表示開始ボタン１ｅは、電子ペーパー２にデータを表示すべきことを指示するボタンである。また、表示切替ボタン１ｆは、次のページの表示データに切り替え表示させることを指示するボタンである。
【００２７】
図２は、電子ペーパー２の概略正面図である。
電子ペーパー２は、電気泳動現象を利用したマイクロカプセル方式の電子ペーパーで、図示しないが、対向する一対の電極の間に、着色された荷電粒子（荷電体）が充填された媒体が多数配置され、この一対の電極間に電圧が印加されると、この媒体内の荷電粒子が印加された電圧に応じた方向に移動することで表示を行う構成となっている。この電子ペーパー２の一端部（図中、左端部）の中央部分には、バインダ部１ａ側の接続部１ｇに電気的に接続される差込型の接続部２ａが設けられている。なお、この接続部２ａの上部及び下部は、本体装置１側の挟持部１ｈによって挟み持たれる被保持領域となっており、その他の略全域は、有効な表示領域となっている。
【００２８】
この表示領域内の表示データは、上述したように本体装置１のバインダ部１ａから取り外される際に、所定の条件でその全部又は一部が消去される。なお、図中、矢印方向は、バインダ部１ａに保持されている電子ペーパー２を取り外す際の抜き取り方向（右方向）を示している。本体装置１は、電子ペーパー２の表示内容に秘匿すべきデータが含まれていることを検出した場合やユーザ操作により秘匿すべき範囲内のデータが指定された場合を条件として、電子ペーパー２を構成する一対の電極の間に所定電圧を印加して単色表示（全面黒表示あるいは全面白表示）させることにより表示内容を消去するようにしている。また、電子ペーパー２の一隅部（図中、左上隅部）には、読み書きが可能な不揮発性のメモリチップ２ｂが内蔵されており、本体装置１は、電子ペーパー２に表示されている各種のデータの中から秘匿すべきデータの秘匿範囲を指定する際に、その秘匿データを暗号化して電子ペーパー２のメモリチップ２ｂに書き込むようにしている。なお、この暗号化は、データを表示する際やデータを消去する際に行うようにしてもよい。
【００２９】
図３は、電子ペーパー２の表示領域内の表示データを具体的に例示した図である。
ここで、電子ペーパー２の表示領域内に表示されている１ページ分の表示データのうち、図中、一点鎖線で囲んだ矩形範囲内のデータは、消去範囲（秘匿範囲）内の表示データ（グラフや表）を示している。すなわち、消去範囲（秘匿範囲）内の表示データは、秘匿対象のデータであることを示すと共に、電子ペーパー２の取り外し時にその範囲内のデータの表示が消去されるデータであることを示している。この消去範囲（秘匿範囲）内の表示データは、暗号化されて電子ペーパー２のメモリチップ２ｂに書き込まれる。その際、暗号化されたデータとその暗号キーのほか、消去範囲（秘匿範囲）も併せてメモリチップ２ｂに書き込むようにしている。
【００３０】
なお、消去範囲（秘匿範囲）は、二点座標（例えば、左上座標と右下座標）によって示すように、例えば、図示の例では、左上座標（５０、１０００）、右下座標（１２０、１９００）となる。また、秘匿範囲内のデータを除く全ての表示データは、電子ペーパー２が取り外された後においても表示されたままとなる。このメモリチップ２ｂは、電子ペーパー２が取り外されて電力が遮断された後においてもその記憶内容を保持する不揮発性のメモリで、電子ペーパー２が再度取り付けられた際に、本体装置１は、メモリチップ２ｂ内の暗号化データ（暗号化されたデータ）をその暗号キーをそのまま使用して、復号化することにより元の秘匿範囲内に配置表示されるようにしている。
【００３１】
図４は、電子ペーパー装置の基本的な構成要素を示したブロック図である。
電子ペーパー装置の本体装置１は、電源回路、表示制御回路、全体制御回路などを構成する各種の電子部品を備えたもので、制御部１１を中核として動作する。制御部１１は、電源部（例えば、商用電源）１２からの電力供給によって動作し、記憶部１３内の各種のプログラムに応じてこの電子ペーパー装置の全体動作を制御する中央演算処理装置やメモリ（図示省略）などを有している。記憶部１３は、例えば、ＲＯＭ、ＲＡＭ、ハードディスク、フラッシュメモリなどの２以上を組み合わせた構成で、プログラム記憶部Ｍ１、データ記憶部Ｍ２などを有している。
【００３２】
プログラム記憶部Ｍ１は、図５及び図６に示した動作手順に応じて本実施形態を実現するためのプログラムや各種のアプリケーションなどが格納されているほか、それに必要となる各種のデータが記憶されている。データ記憶部Ｍ２は、電子ペーパー２に表示させるデータを記憶保存する領域である。操作部１４、電源ボタン１ｃ、解除ボタン１ｄなどの各種ボタンを備えた操作部であり、制御部１は、この操作部１４からの入力操作信号に応じた処理を行う。ＰＣ接続部１５は、ＰＣ３にケーブル接続されるＵＳＢ（Universal Serial Bus）インターフェースである。電子ペーパー接続部１６は、上述したバインダ部１ａ内の接続部１ｇを有する構成で、電源端子及び信号端子を有し、電子ペーパー２に電力を供給したり、表示データを入力したりする。
【００３３】
次に、本実施形態における電子ペーパー装置の動作概念を図５及び図６に示すフローチャートを参照して説明する。ここで、これらのフローチャートに記述されている各機能は、読み取り可能なプログラムコードの形態で格納されており、このプログラムコードに従った動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００３４】
図５及び図６は、電子ペーパー装置の動作概要を示したフローチャートで、電源投入に伴って実行開始される。
先ず、制御部１１は、電子ペーパー接続部１６をアクセスして電子ペーパー２が接続されているかを調べ（図５のステップＡ１）、電子ペーパー２が接続されるまで待機状態となるが、電子ペーパー２が接続されると（ステップＡ１でＹＥＳ）、表示開始ボタン１ｅの操作待ち状態となる（ステップＡ２）。ここで、表示開始ボタン１ｅが操作されると（ステップＡ２でＹＥＳ）、ＰＣ３に対して表示データの転送を要求し、それに応答してＰＣ３側から送信される表示データ（画像データ）を受信取得する（ステップＡ３）。この場合、ＰＣ３側では、ＤＢ４から読み出した表示データを暗号キーと共に電子ペーパー装置に対して送信し、電子ペーパー装置の制御部１１は、この表示データ及び暗号キーを取得して、その表示データを電子ペーパー２に表示させる（ステップＡ４）。
【００３５】
このように表示データが電子ペーパー２に表示されている状態において、ユーザ（視認者）はその中に秘匿すべきデータ（例えば、個人データや機密データ）が含まれていることを確認すると、その秘匿範囲を指定して秘匿すべきことを指示する秘匿指示操作を行う。なお、この場合の秘匿指示操作は、ＰＣ３側のキーボードやマウス操作で行うようにしているが、操作部１４に秘匿指示ボタン、カーソルボタンを設けるようにしてもよく、また、ＰＣ３側で行うか電子ペーパー装置側で行うかを任意に選択できるようにしてもよい。ここで、制御部１１は、秘匿指示操作が行われたかを調べたり（ステップＡ５）、表示データに秘匿範囲が付加されているかを調べたりする（ステップＡ６）。なお、表示データに付加されている秘匿範囲は、ＰＣ３側で予め付加されたもので、ＰＣ３側から表示データを取得する際に、この表示データに付加されている秘匿範囲をも併せて取得するようにしている。
【００３６】
いま、秘匿指示操作が行われなかった場合であり（ステップＡ５でＮＯ）、かつ表示データに秘匿有りを示すデータが付加されていなかった場合には（ステップＡ６でＮＯ）、後述するステップＡ１０に移るが、秘匿指示操作が行われた場合（ステップＡ５でＹＥＳ）や秘匿範囲が付加されている場合には（ステップＡ６でＹＥＳ）、次のステップＡ７に移り、表示データ内に秘匿データが有ることを示すために秘匿フラグをオンさせる。そして、秘匿範囲内のデータを暗号キーを使用して暗号化する（ステップＡ８）。この場合、秘匿指示操作が行われた秘匿範囲に該当する部分のデータ、表示データに付加されていた秘匿範囲に該当する部分のデータを暗号化するが、この秘匿範囲が１ページ分の全領域であれば、１ページ分の表示データを全て暗号化する。これによって暗号化した暗号化データを暗号キー及び秘匿範囲と共に、電子ペーパー２のメモリチップ２ｂ内に書き込む（ステップＡ９）。
【００３７】
この状態において、解除ボタン１ｄが操作されたかを調べたり（ステップＡ１０）、表示切替ボタン１ｆが操作されたかを調べたり（ステップＡ１１）、電源ボタン１ｃによる電源オフ操作が行われたかを調べたりしながら操作待ち状態となる（ステップＡ１２）。ここで、電源オフ操作が行われたときには（ステップＡ１２でＹＥＳ）、この時点で図５及び図６のフローの終了となるが、表示切替ボタン１ｆが操作されたときには（ステップＡ１１でＹＥＳ）、電子ペーパー２のメモリチップ２ｂの記憶内容をクリアすると共に、上述の秘匿フラグをオフする（ステップＡ１３）。そして、次の表示データを指定してその転送をＰＣ３に対して要求した後（ステップＡ１４）、上述のステップＡ３に戻り、ＰＣ３側から表示データ及び暗号キーを受信取得し、その表示データを電子ペーパー２に表示させる（ステップＡ４）。以下、同様に秘匿範囲内の表示データを暗号化して電子ペーパー２のメモリチップ２ｂ内に書き込む処理が行われる（ステップＡ７〜Ａ９）。
【００３８】
いま、解除ボタン１ｄが操作されたときには（ステップＡ１０でＹＥＳ）、図６のフローに移り、挟持部１ｈのロック機構を作動させて電子ペーパー２の保持状態（ロック状態）を解除させる（ステップＡ１５）。これによって電子ペーパー２は、本体装置（ベースユニット）１から取り外し（抜き取り）可能な状態となる。この状態において、秘匿フラグがオンされているかを調べ（ステップＡ１６）、秘匿フラグがオンされていれば（ステップＡ１６でＹＥＳ）、電子ペーパー２に表示されている１ページ分の表示データのうち、メモリチップ２ｂに記憶されている秘匿範囲内に該当する部分のデータの表示を消去する（ステップＡ１７）。この場合、秘匿範囲に該当する部分に所定電圧を印加して単色表示（全面黒表示あるいは全面白表示）させることにより秘匿範囲に該当する部分のデータの表示を消去する。
【００３９】
その後、電子ペーパー接続部１６をアクセスして電子ペーパー２が接続されているかを調べ（ステップＡ１８）、電子ペーパー２が接続されるまで待機状態となる。いま、電子ペーパー２が接続されていれば（ステップＡ１８でＹＥＳ）、挟持部１ｈのロック機構を作動させて電子ペーパー２を保持するロック状態にした後（ステップＡ１９）、秘匿フラグがオンされているかを調べ（ステップＡ２０）、秘匿フラグがオフされていれば（ステップＡ２０でＮＯ）、表示データ内に秘匿対象のデータが含まれていない場合であるから、図５のステップＡ１０に移って、操作待ち状態となる。
【００４０】
また、秘匿フラグがオンされていれば（ステップＡ２０でＹＥＳ）、電子ペーパー２のメモリチップ２ｂから暗号キー、暗号化データ、秘匿範囲をそれぞれ読み出し取得し（ステップＡ２１）、この暗号化データをその暗号キーで復号化した後（ステップＡ２２）、電子ペーパー２に表示されている１ページ分の表示のうち、その秘匿範囲に該当する部分に復号化データを配置表示させる（ステップＡ２３）。これによって電子ペーパー２の表示内容は元の状態に復元されることになる。その後、図５のステップＡ１０に移り、操作待ち状態となるが、この状態において、表示切替ボタン１ｆが操作されたときには（ステップＡ１０でＹＥＳ）、上述と同様の動作を繰り返すことにより、次の表示データを指定して電子ペーパー２に表示させる。
【００４１】
以上のように、第１実施形態において制御部１１は、バインダ部１ａに電子ペーパー２が取り外し可能に保持されている状態において、この電子ペーパー２がバインダ部１ａから取り外される状態であることを検出した際に、この電子ペーパー２に表示されているデータのうち、その全部又は一部分のデータの表示を消去するようにしたので、電子ペーパー２をその本体装置１から取り外して使用したとしてもデータの漏洩を適切に防止することができ、持ち運び中や閲覧中に盗み見られる心配もなく、電子ペーパー２の不正持ち出しを間接的に防止することもでき、セキュリティ上有益なものとなる。
【００４２】
電子ペーパー２の保持の解除を指示する解除ボタン１ｄが操作された際に、電子ペーパー２が取り外される状態であることを検出するようにしたので、電子ペーパー２が取り外されるに先立って解除ボタン１ｄが操作されてから電子ペーパー２が実際に取り外されるまでの時間を利用して、電子ペーパー２に表示されているデータの表示を消去することができる。
【００４３】
電子ペーパー２に表示されていた表示データのうち、予めＰＣ３側で付加された秘匿範囲内のデータの表示を消去するようにしたので、電子ペーパー２の取り外し時には、秘匿対象のデータを適切に消去することができる。
【００４４】
電子ペーパー２に表示されていた表示データの中から秘匿対象のデータがユーザ操作により任意に指定された場合に、その指定範囲内のデータを秘匿対象として消去するようにしたので、電子ペーパー２の取り外しに先立って、必要に応じてデータの表示を適切に消去することができる。
【００４５】
秘匿対象として消去する表示データを暗号化して、電子ペーパー２に内蔵されたメモリチップ２ｂに書き込むようにしたので、電子ペーパー２を再接続させる際に、取り外し元の電子ペーパー装置に再接続せず、他の電子ペーパー装置に接続したとしてもメモリチップ２ｂ内の暗号化データを復号化することで、他の電子ペーパー装置でも電子ペーパー２への再表示が可能となる。この場合、他の電子ペーパー装置と電子ペーパー２との間でＩＤ認証などを条件とするようにしてもよい。
【００４６】
秘匿対象として消去する表示データを暗号化して、電子ペーパー２に内蔵されたメモリチップ２ｂに書き込むと共に、その暗号キーをメモリチップ２ｂに書き込むようにしたので、取り外し元の電子ペーパー装置に接続しなくても他の電子ペーパー装置に接続したとしてもメモリチップ２ｂ内の暗号化データを容易に復号化することができる。
【００４７】
秘匿対象として消去する表示データを電子ペーパー２内のメモリチップ２ｂに書き込むと共に、電子ペーパー２に表示されているデータのうち、どの範囲内のデータの表示を消去するかを示す消去範囲（秘匿範囲）をメモリチップ２ｂに記憶させるようにしたので、電子ペーパー２を再接続には、この消去範囲（秘匿範囲）内のデータを元の位置に配置表示させることができる。
【００４８】
電子ペーパー２が取り付けられた場合に、その取り外し時に消去した表示データを再表示させるようにしたので、電子ペーパー２が取り付けるだけで容易に表示内容を復元することができる。
【００４９】
なお、上述した第１実施形態においては、電子ペーパー２が取り外されるに先立って解除ボタン１ｄが操作されてから電子ペーパー２が実際に取り外されるまでの時間を利用して、電子ペーパー２に表示されている表示データの表示を消去するようにしたが、電子ペーパー２の取り外しが開始されてから実際に取り外されるまでの間、電子ペーパー２への電力供給を維持するようにすれば、その時間を利用して、電子ペーパー２に表示されている表示データの表示を消去することができる。この場合、電子ペーパー接続部１６内の電源端子を信号端子よりも電子ペーパー２の抜き差し方向に長く形成し、電子ペーパー接続部１６内の信号端子と電子ペーパー２との接続が解除された際に、その電子ペーパー２が取り外される状態であることを検出するようにしてもよい。これによって電子ペーパー２を抜き取る（引き抜く）だけで秘匿対象のデータの表示を消去することができる。
【００５０】
また、電子ペーパー２に表示されているデータのうち、秘匿範囲内のデータを暗号化する場合には、共通鍵暗号方式又は公開鍵暗号方式のいずれかを採用するようにしてもよい。そして、共通鍵暗号方式を採用した場合には、その暗号化に使用した暗号化用のキーを、また、公開鍵暗号方式を採用する場合には復号化用のキー（秘密鍵又は公開鍵）を電子ペーパー２のメモリチップ２ｂに書き込むようにすればよい。
【００５１】
上述した第１実施形態においては、電子ペーパー２に表示されているデータのうち、秘匿範囲内のデータを暗号化して、その暗号化データなどを電子ペーパー２のメモリチップ２ｂに書き込むようにしたが、電子ペーパー２に表示されているデータを識別する識別子（例えば、データ管理No.など）をメモリチップ２ｂに書き込むようにしてもよい。この場合、電子ペーパー２が再接続された際に、そのメモリチップ２ｂから表示データを識別する識別子を読み出し、この識別子に該当する表示データを読み出して電子ペーパー２に再表示させるようにすればよい。このように識別子をメモリチップ２ｂに記憶するようにすれば、データの表示の消去時や再表示時の処理の簡素と共にメモリチップ２ｂも小容量で足りる。
【００５２】
また、上述した第１実施形態においては、電子ペーパー２が取り付けられた際にその取り外し時に消去した表示データを再表示させる場合に、メモリチップ２ｂから暗号化データと暗号キーを読み出して再表示させるようにしたが、電子ペーパー装置側に保持した暗号キーと電子ペーパー２側に保持した暗号キーとを照合する認証処理を実行し、その結果、両者が一致することを条件として、復号化処理を行って再表示させるようにしてもよい。
【００５３】
（実施形態２）
以下、この発明の第２実施形態について図７〜図９を参照して説明する。
なお、上述した第１実施形態においては、電子ペーパー２がバインダ部１ａから取り外される状態であることを検出した際に、この電子ペーパー２に表示されているデータの表示を消去するようにしたが、この第２実施形態においては、電子ペーパー２の表示面の一部分に、光の透過及び遮蔽を制御する光制御シートを貼り付け、電子ペーパー２に表示されている表示データの一部分を、この光制御シートで遮蔽したり透過したりするようにしたものである。ここで、両実施形態において基本的あるいは名称的に同一のものは、同一符号を付して示し、その説明を省略すると共に、以下、第２実施形態の特徴部分を中心に説明するものとする。
【００５４】
図７は、第２実施形態における電子ペーパー２を説明するための図である。
第２実施形態の電子ペーパー２は、上述したように本体装置１に電気的に接続される接続部２ａを有するほか、電子ペーパー２の表示面内の所定領域に光の透過及び遮蔽を制御する光制御シートとして反射型液晶パネルシート５を貼り付けた構成となっている。この反射型液晶パネルシート５は、本体装置１から電力供給を受けている状態では光を透過し、本体装置１から電子ペーパー２が取り外されることにより電力供給が遮断された状態では光を遮蔽するＴＮ（Twisted Nematic型）液晶のパネルシートである。なお、図示の例では、電子ペーパー２の下端から略２／３領域に反射型液晶パネルシート５を貼り付け固定するようにしているが、この液晶パネルシート５の貼り付け領域は、秘匿対象のデータが表示される可能性の高い領域として予め決められた部分である。
【００５５】
図８は、第２実施形態において電子ペーパー２の表示面の一部分に反射型液晶パネルシート５を貼り付けた部分における電子ペーパー２と液晶パネルシート５の作動状態を模式的に説明するための図である。なお、図中、矢印方向は、電子ペーパー２の表示面をユーザの見る方向を示している。
反射型液晶パネルシート５は、対向する一対の基板間のＴＮ液晶と呼ばれる液晶分子の配向を９０度ねじれるようにするもので、電圧が印加されている状態で液晶分子は、基板に対して垂直方向に揃って並び、光は液晶層を通過する透過状態となるが、電圧が印加されなくなると、液晶分子は基板に対して平行方向に揃って並び、光は液晶層で遮断される状態となる。電子ペーパー２においては、上述したように、対向する一対の電極の間に、着色された荷電粒子（荷電体）が媒体内に充填されている状態において、この一対の電極間に電圧が印加されると、この媒体内の荷電粒子が印加された電圧に応じた方向に移動することで表示を行うが、その表示内容は反射型液晶パネルシート５による光の透過や遮蔽により見えたり、見えなくなったりする。
【００５６】
図９は、第２実施形態における電子ペーパー装置の動作概要を示したフローチャートで、電源投入に伴って実行開始される。
先ず、制御部１１は、電子ペーパー接続部１６をアクセスして電子ペーパー２が接続されているかを調べ（ステップＢ１）、電子ペーパー２が接続されるまで待機状態となるが、電子ペーパー２が接続されているときには（ステップＢ１でＹＥＳ）、表示開始ボタン１ｅの操作待ち状態となる（ステップＢ２）。ここで、表示開始ボタン１ｅが操作されると（ステップＢ２でＹＥＳ）、電子ペーパー２に貼り付けられている反射型液晶パネルシート５に対する電力供給を開始して、この反射型液晶パネルシート５を透過状態とした後に、ＰＣ３に対して表示データの転送を要求し、それに応答してＰＣ３側から送信される表示データ（画像データ）を取得して（ステップＢ３）、電子ペーパー２に表示させる（ステップＢ４）。
【００５７】
このように電子ペーパー２に表示データが表示されている状態において、制御部１１は、表示切替ボタン１ｆが操作されたかを調べたり（ステップＢ５）、電源ボタン１ｃによる電源オフ操作が行われたかを調べたり（ステップＢ７）、電子ペーパー接続部１６をアクセスして電子ペーパー２が取り外されたかを調べたりする（ステップＢ８）。ここで、電源オフ操作が行われたときには（ステップＢ７でＹＥＳ）、この時点で図９のフローの終了となるが、表示切替ボタン１ｆが操作されたときには（ステップＢ５でＹＥＳ）、次の表示データを指定してＰＣ３にその転送を要求した後（ステップＢ６）、上述のステップＢ３に戻り、その転送要求に応答してＰＣ３側から送信される表示データを取得し、電子ペーパー２に表示させる（ステップＢ４）。
【００５８】
また、電子ペーパー２が取り外されたときには（ステップＢ８でＹＥＳ）、電子ペーパー２への電力供給を遮断した後に、電子ペーパー接続部１６をアクセスして電子ペーパー２が接続されたかを調べながら待機状態となる（ステップＢ９）。いま、電子ペーパー２が接続されたときには（ステップＢ９でＹＥＳ）、上述のステップＢ３に移り、電子ペーパー２の反射型液晶パネルシート５に対する電力供給を開始した後に、ＰＣ３側から送信される表示データ（画像データ）を取得して、電子ペーパー２に表示させる（ステップＢ４）。以下、上述の動作を繰り返す。
【００５９】
以上のように、第２実施形態における電子ペーパー２は、本体装置１に電気的に接続される接続部２ａを有するほか、電子ペーパー２の表示面内の所定領域に光の透過及び遮蔽を制御する光制御シートとして反射型液晶パネルシート５を貼り付けた構成としたので、接続部２ａを介して本体装置に電気的に接続されたか否かに応じて反射型液晶パネルシート５を、光を透過する状態と光を遮蔽する状態に切り替えることができ、電子ペーパー２をその本体装置１から取り外して使用したとしてもデータの漏洩を適切に防止することができ、持ち運び中や閲覧中に盗み見られる心配もなく、電子ペーパー２の不正持ち出しを間接的に防止することもでき、セキュリティ上有益なものとなる。
【００６０】
なお、上述した第２実施形態においては、電子ペーパー２の表示面の一部分に反射型液晶パネルシート５貼り付けるようにしたが、表示面全体に反射型液晶パネルシート５を貼り付けるようにしてもよい。
また、上述した第２実施形態においては、光の透過及び遮蔽を制御する光制御シートとして反射型液晶パネルシート５を例示したが、これに限らず、任意である。
【００６１】
なお、上述した各実施形態における電子ペーパー装置は、スタンドタイプを例示したが、ブック型のように両開きタイプであってもよく、また、壁掛タイプであってもよいなど、その全体形状は問わない。また、スタンド台１ｂに各種のボタンとして、電源ボタン１ｃ、解除ボタン１ｄ、表示開始ボタン１ｅ、表示切替ボタン１ｆを備えるようにしたが、これらのボタンをＰＣ３側のキーボードを兼用するようにしてもよい。
【００６２】
また、上述した各実施形態においては、電気泳動現象を利用したマイクロカプセル方式の電子ペーパー２を示したが、液晶方式などの電子ペーパー２であってもよい。
また、上述した各実施形態においては、表示専用機としての電子ペーパー装置に適用したが、データ表示装置を備えた各種の電子機器、例えば、携帯電話機、卓上電子計算機、パーソナルコンピュータ（ノートパソコンなど）、ＰＤＡ、デジタルカメラ、音楽プレイヤーなどであってもよい。
【００６３】
その他、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００６４】
１  本体装置（ベースユニット）
１ａ  バインダ部
１ｂ  スタンド台
１ｃ  電源ボタン
１ｄ  解除ボタン
２  電子ペーパー
２ａ  接続部
２ｂ  メモリチップ
３  パーソナルコンピュータ（ＰＣ）
４  データベース（ＤＢ）
５  反射型液晶パネルシート
１１  制御部
１３  記憶部
１４  操作部
１５  ＰＣ接続部
１６  電子ペーパー接続部
【図１】
0005817119.tif 000002
【図２】
0005817119.tif 000003
【図３】
0005817119.tif 000004
【図４】
0005817119.tif 000005
【図５】
0005817119.tif 000006
【図６】
0005817119.tif 000007
【図７】
0005817119.tif 000008
【図８】
0005817119.tif 000009
【図９】
0005817119.tif 000010